(57)【要約】      （修正有）【課題】土地、建物および室内の空気環境が改善された住宅を提供する。【解決手段】住宅１０の敷地１２に炭素を含む複合材１４が埋設され、住宅１０の基礎１６に微粉炭が添加され、住宅１０の壁１８および／または天井２０に、遠赤外線を放射する放射微粒子を含有する液体が塗布されている。したがって、森林、滝の周辺にいるような明朗清々しい住空気環境を実現させることができる。このような敷地１２に埋設された炭素を含む複合材１４は、半径３０メートル近辺にまで良好な影響を及ぼすことができる。【選択図】図１
0003165833.tif 000002
【実用新案登録請求の範囲】
【請求項１】
土地、建物および室内の空気環境が改善された住宅であって、
住宅の敷地に炭素を含む複合材が埋設され、住宅の基礎に微粉炭が添加され、住宅の壁および／または天井に、遠赤外線を放射する放射微粒子を含有する液体が塗布されていることを特徴とする住宅。
【考案の詳細な説明】
【技術分野】
【０００１】  本考案は、土地、建物および室内の空気環境が改善された住宅（いわゆる「（公序良俗違反につき、不掲載）」）に関する。
【背景技術】
【０００２】
近年、人々は住宅の空気環境に大きな関心を持つようになっている。すなわち、自動車の排気ガス等による大気汚染、化学物質の氾濫、オゾン層破壊による紫外線の影響や電磁波等の複合的な要因により、住宅の空気環境は悪化の一途をたどっている。また、住宅の建材、家具等から発生する化学物質により、シックハウス症候群が近年では大きな問題となっている。住宅の空気環境を改善する方法として、従来から例えば特許文献１等に開示される方法が知られている。
【先行技術文献】
【特許文献】
【０００３】
【特許文献１】特開２００３−９６９３２号公報
【考案の概要】
【考案が解決しようとする課題】
【０００４】
上述のように、近年では住宅の空気環境を改善することが強く求められている。具体的には、住宅の土地、建物および室内の全ての空気環境を改善することが望まれている。
【０００５】
本考案は、このような点を考慮してなされたものであり、土地、建物および室内の空気環境が改善された住宅を提供することを目的とする。
【考案を解決するための手段】
【０００６】  本考案による住宅は、土地、建物および室内の空気環境が改善された住宅であって、住宅の敷地に炭素を含む複合材（公序良俗違反につき、不掲載）が埋設され、住宅の基礎に微粉炭が添加され、住宅の壁および／または天井に、遠赤外線を放射する放射微粒子を含有する液体が塗布されていることを特徴とする。
【考案の効果】
【０００７】
本考案の住宅によれば、土地、建物および室内の空気環境を改善することができる。
【図面の簡単な説明】
【０００８】
【図１】本考案の実施の形態による、土地、建物および室内の空気環境が改善された住宅（公序良俗違反につき、不掲載）の構成を示す構成図である。
【考案を実施するための形態】
【０００９】  以下、図面を参照して本考案の実施の形態について説明する。図１は、本考案の実施の形態による、土地、建物および室内の空気環境が改善された住宅（公序良俗違反につき、不掲載）の構成を示す構成図である。
【００１０】  図１に示すように、本実施の形態の住宅１０（公序良俗違反につき、不掲載）において、当該住宅１０の敷地１２には炭素を含む複合材（公序良俗違反につき、不掲載）１４が埋設されている。より詳細には、敷地１２の１箇所（好ましくは、住宅１０の真下の位置）に、例えば縦横１ｍ、深さ１．５ｍの穴を掘り、特殊炭素等をブレンドした（公序良俗違反につき、不掲載）１２０ｋｇをこの穴に埋設している。ここで、土地には、動植物の生育にとって優良な土地（イヤシロチ（弥盛地））と、向かない土地（ケガレチ（気枯地））とがあるが、炭素を含む複合材１４を敷地１２に埋設することにより土地の電位を変え、土地自体をマイナスイオン優位の環境とすることにより、炭素を含む複合材１４が埋設された敷地１２はイヤシロチとなる。このように、住宅１０の敷地１２をイヤシロチとすることにより、神社仏閣や森林、滝の周辺にいるような明朗清々しい住空気環境を実現させることができる。このような敷地１２に埋設された炭素を含む複合材１４は、半径３０メートル近辺にまで良好な影響を及ぼすことができる。
【００１１】
また、図１に示すように、本実施の形態の住宅１０において、建物の基礎１６には微粉炭が添加されている。より具体的には、厳選された複合セラミック炭素を建物の基礎１６（コンクリート）に混入し、建物全体をマイナスイオン優位の環境に改善している。また、他の方法として、基礎の土間の上にモルタル層を形成し、このモルタル層に微粉炭を添加するようにしてもよい。特に、床下空間の環境を改善することによって、カビや腐朽菌、シロアリの侵食を防止することができる。また、このような微粉炭が添加された基礎１６は、土間空間にも非常に良好な影響を与える。具体的には、コンクリートの臭いがしない、快適な憩いの場を作ることができる。
【００１２】  また、図１に示すように、本実施の形態の住宅１０において、建物の壁１８や天井２０に、ＳＯＤリキッドが塗布されている。ここで、ＳＯＤリキッドとは、珊瑚などの化石と、海洋成分ミネラル天然素材を使用し、加工・液状化した液体である。このようなＳＯＤリキッドには、遠赤外線を放射する放射微粒子が含有されている。なお、ＳＯＤリキッドとは、国土交通省ＮＥＴＩＳに「有害化学物質を分解する透明塗料」として登録されている（登録番号ＨＫ−０４０００８）。建物の壁１８や天井２０へのＳＯＤリキッドの塗布方法について具体的に説明する。まず、動植物プランクトン化石を原料とする遠赤外線放射微粒子を、海洋性ミネラルを用いて加工生成した微細結晶粒子を水溶液化して遠赤外線放射水溶液を生成する。そして、このような遠赤外線放射水溶液に吸着剤を混合して専用水溶液を調合し、建物の壁１８や天井２０に噴霧器でスプレーしコート加工する。または専用水溶液に浸けて加工して使用する。また、クロスの糊の中に遠赤外線放射水溶液を混合して使用してもよい。このようなＳＯＤリキッドを建物の壁１８や天井２０に塗布することにより、人体に有益な遠赤外線を効率よく室内に放射することができる。さらに、有害な揮発性化学物質の発生を防止するとともに、半永久的に室内をマイナスイオン優位の空気環境に保つことで、「（公序良俗違反につき、不掲載）の埋設」および「微粉炭が添加された基礎」と相まって、住宅１０の抗酸化効果を完全なものとすることができる。
【００１３】  以上のように、本実施の形態の住宅１０によれば、当該住宅１０の敷地１２に炭素を含む複合材１４が埋設され、また、住宅１０の基礎１６に微粉炭が添加され、さらに、住宅１０の壁１８および／または天井２０に、遠赤外線を放射する放射微粒子を含有する液体が塗布されている。このように、「（公序良俗違反につき、不掲載）の埋設」、「微粉炭が添加された基礎」、および「ＳＯＤリキッドの放射」という３つの技術を組み合わせることによって、住宅１０の土地、建物および室内の全ての空気環境を改善することができる。上述した３つの技術が組み合わせられた住宅１０を「（公序良俗違反につき、不掲載）」といい、人と建物、そして地球の健康長寿にまでも配慮した住まいを提供することができるようになる。
【００１４】
なお、本実施の形態の住宅１０においては、図１に示すように、逆垂木屋根２２を設けてもよい。このような逆垂木屋根２２の通気工法は、遮熱断熱の屋根工法であり、機械を使わずに太陽熱をコントロールして室内環境を快適に保つことができる。すなわち、断熱層と屋根下地との間に通気層２４を設け、屋根の熱気を外部に放出する仕組みとなっている。空気は図１の矢印に示す方向に流れるようになっており、屋根裏で熱せられた空気は自然の摂理で外部に放出される仕組みとなっている。このことにより、遮熱・断熱を図ることができるとともに、ロフト等の屋根裏空間を有効に活用することができるようになる。
【符号の説明】
【００１５】１０  住宅（公序良俗違反につき、不掲載）１２  敷地１４  炭素を含む複合材１６  基礎１８  壁２０  天井２２  逆垂木屋根２４  通気層
【図１】
0003165833.tif 000003
【手続補正書】
【提出日】平成22年11月22日(2010.11.22)
【手続補正１】
【補正対象書類名】明細書
【補正対象項目名】０００１
【補正方法】変更
【補正の内容】
【０００１】
本考案は、土地、建物および室内の空気環境が改善された住宅に関する。
【手続補正２】
【補正対象書類名】明細書
【補正対象項目名】０００６
【補正方法】変更
【補正の内容】
【０００６】
本考案による住宅は、土地、建物および室内の空気環境が改善された住宅であって、住宅の敷地に炭素を含む複合材が埋設され、住宅の基礎に微粉炭が添加され、住宅の壁および／または天井に、遠赤外線を放射する放射微粒子を含有する液体が塗布されていることを特徴とする。
【手続補正３】
【補正対象書類名】明細書
【補正対象項目名】０００８
【補正方法】変更
【補正の内容】
【０００８】
【図１】本考案の実施の形態による、土地、建物および室内の空気環境が改善された住宅の構成を示す構成図である。
【手続補正４】
【補正対象書類名】明細書
【補正対象項目名】０００９
【補正方法】変更
【補正の内容】
【０００９】
以下、図面を参照して本考案の実施の形態について説明する。図１は、本考案の実施の形態による、土地、建物および室内の空気環境が改善された住宅の構成を示す構成図である。
【手続補正５】
【補正対象書類名】明細書
【補正対象項目名】００１２
【補正方法】変更
【補正の内容】
【００１２】
また、図１に示すように、本実施の形態の住宅１０において、建物の壁１８や天井２０に、ＳＯＤリキッドが塗布されている。ここで、ＳＯＤリキッドとは、珊瑚などの化石と、海洋成分ミネラル天然素材を使用し、加工・液状化した液体である。このようなＳＯＤリキッドには、遠赤外線を放射する放射微粒子が含有されている。なお、ＳＯＤリキッドとは、国土交通省ＮＥＴＩＳに「有害化学物質を分解する透明塗料」として登録されている（登録番号ＨＫ−０４０００８）。建物の壁１８や天井２０へのＳＯＤリキッドの塗布方法について具体的に説明する。まず、動植物プランクトン化石を原料とする遠赤外線放射微粒子を、海洋性ミネラルを用いて加工生成した微細結晶粒子を水溶液化して遠赤外線放射水溶液を生成する。そして、このような遠赤外線放射水溶液に吸着剤を混合して専用水溶液を調合し、建物の壁１８や天井２０に噴霧器でスプレーしコート加工する。または専用水溶液に浸けて加工して使用する。また、クロスの糊の中に遠赤外線放射水溶液を混合して使用してもよい。このようなＳＯＤリキッドを建物の壁１８や天井２０に塗布することにより、人体に有益な遠赤外線を効率よく室内に放射することができる。さらに、有害な揮発性化学物質の発生を防止するとともに、半永久的に室内をマイナスイオン優位の空気環境に保つことで、「炭素を含む複合材の埋設」および「微粉炭が添加された基礎」と相まって、住宅１０の抗酸化効果を完全なものとすることができる。
【手続補正６】
【補正対象書類名】明細書
【補正対象項目名】００１３
【補正方法】変更
【補正の内容】
【００１３】
以上のように、本実施の形態の住宅１０によれば、当該住宅１０の敷地１２に炭素を含む複合材１４が埋設され、また、住宅１０の基礎１６に微粉炭が添加され、さらに、住宅１０の壁１８および／または天井２０に、遠赤外線を放射する放射微粒子を含有する液体が塗布されている。このように、「炭素を含む複合材の埋設」、「微粉炭が添加された基礎」、および「ＳＯＤリキッドの放射」という３つの技術を組み合わせることによって、住宅１０の土地、建物および室内の全ての空気環境を改善することができる。このようにして、人と建物、そして地球の健康長寿にまでも配慮した住まいを提供することができるようになる。
【手続補正７】
【補正対象書類名】明細書
【補正対象項目名】００１５
【補正方法】変更
【補正の内容】
【００１５】
１０  住宅
１２  敷地
１４  炭素を含む複合材
１６  基礎
１８  壁
２０  天井
２２  逆垂木屋根
２４  通気層
【手続補正書】
【提出日】平成22年12月2日(2010.12.2)
【手続補正１】
【補正対象書類名】明細書
【補正対象項目名】００１０
【補正方法】変更
【補正の内容】
【００１０】
図１に示すように、本実施の形態の住宅１０において、当該住宅１０の敷地１２には炭素を含む複合材１４が埋設されている。より詳細には、敷地１２の１箇所（好ましくは、住宅１０の真下の位置）に、例えば縦横１ｍ、深さ１．５ｍの穴を掘り、特殊炭素等をブレンドした、炭素を含む複合材１４を１２０ｋｇこの穴に埋設している。ここで、土地には、動植物の生育にとって優良な土地（イヤシロチ（弥盛地））と、向かない土地（ケガレチ（気枯地））とがあるが、炭素を含む複合材１４を敷地１２に埋設することにより土地の電位を変え、土地自体をマイナスイオン優位の環境とすることにより、炭素を含む複合材１４が埋設された敷地１２はイヤシロチとなる。このように、住宅１０の敷地１２をイヤシロチとすることにより、神社仏閣や森林、滝の周辺にいるような明朗清々しい住空気環境を実現させることができる。このような敷地１２に埋設された炭素を含む複合材１４は、半径３０メートル近辺にまで良好な影響を及ぼすことができる。